(57)【要約】【課題】  リサイズがサイズと画質の予め決められた複数の組み合わせに制限される撮像装置で、サイズ・画質の指定を容易にする。【解決手段】  画像処理部（１０７）は、サイズと画質の予め決められた複数の組み合わせで、画像のサイズ及び画質を変更できる。マイクロコンピュータ（１０３）は、リサイズ対象の画像と処理後のサイズの指定に対し、処理後のサイズと、リサイズ対象の画像の画質の組み合わせが画像処理部（１０７）に適用できるかどうかを判定し、適用できる場合に、その組み合わせで画像処理部（１０７）にリサイズ対象の画像を処理させ、適用できない場合に、処理後のサイズに対して、サイズと画質の予め決められた前記複数の組み合わせにあるリサイズ前の画質よりも高い画質を選択し、画像処理部（１０７）にリサイズ対象の画像を処理させる。【選択図】  図１
2011250120.tif 000002
【特許請求の範囲】
【請求項１】
サイズと画質の予め決められた複数の組み合わせで、画像のサイズ及び画質を変更できる画像処理手段と、
リサイズ対象の画像と処理後のサイズを指定する指定手段と、
前記指定手段で指定される前記リサイズ対象の画像のサイズ及び画質を読み出す手段と、
前記指定手段で指定される前記処理後のサイズと、前記リサイズ対象の画像の画質の組み合わせが前記画像処理手段に適用できるかどうかを判定し、適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させる制御手段
とを具備することを特徴とする撮像装置。
【請求項２】
サイズと画質の予め決められた複数の組み合わせで、画像データのサイズ及び画質を変更できる画像処理手段を有する撮像装置の制御方法であって、
リサイズ対象の画像と処理後のサイズを指定する指定ステップと、
前記指定ステップで指定される前記リサイズ対象の画像のサイズ及び画質を読み出すステップと、
前記指定ステップで指定される前記処理後のサイズと、前記リサイズ対象の画像の画質の組み合わせが前記画像処理手段に適用できるかどうかを判定するステップと、
前記指定ステップで指定される前記処理後のサイズと、前記リサイズ対象の画像の画質の組み合わせが前記画像処理手段に適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させるステップ
とを具備することを特徴とする撮像装置の制御方法。
【請求項３】
サイズと画質の予め決められた複数の組み合わせで、画像データのサイズ及び画質を変更できる画像処理手段、及び全体を制御するＣＰＵを有する撮像装置の制御プログラムであって、前記ＣＰＵに、
ユーザによるリサイズ対象の画像と処理後のサイズの選択を受け入れる機能と、
前記リサイズ対象の画像のサイズ及び画質を読み出す機能と、
前記処理後のサイズと、前記リサイズ対象の画像の画質の組み合わせが前記画像処理手段に適用できるかどうかを判定する機能と、
前記処理後のサイズと、前記リサイズ対象の画像の画質の組み合わせが前記画像処理手段に適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させる機能
とを実現させることを特徴とする撮像装置の制御プログラム。
【請求項４】
請求項３に記載の制御プログラムを読み出し可能に記録したことを特徴とする記録媒体。
【発明の詳細な説明】
【技術分野】
【０００１】
本発明は、撮像装置、その制御方法及びプログラム並びに記録媒体に関し、特に、サイズと画質の変更機能を有する撮像装置、その制御方法及びプログラム並びに記録媒体に関する。
【背景技術】
【０００２】
【先行技術文献】
【特許文献】
【０００３】
【特許文献１】特開２００５−２１２３５９号公報
【０００４】
従来、撮像装置において、撮影前に所望の画像サイズ又は画質を設定してくことで、ユーザはその設定で被写体を撮影できる。また、撮影済みの画像に対し、画質と画像サイズの指定された組み合わせに変更するリサイズ機能を有する撮像装置も存在する。
【０００５】
特許文献１には、印刷指定された撮影画像を印刷装置で印刷可能な画像サイズに変更して印刷装置に供給する撮像装置が記載されている。撮像装置は、印刷前、例えば、印刷装置が認識された段階で、印刷装置で処理可能な画像サイズの情報を取得する。
【発明の概要】
【発明が解決しようとする課題】
【０００６】
多くの撮像装置では、画像サイズと画質として設定可能な組み合わせが選定又は制限されている。このような制約の下で、例えば、印刷のための画像サイズを変更する場合、ユーザは、変更後のサイズと対になる画質を選択しなければならない。これは、ユーザに面倒を強いるものであり、ユーザの操作感を低下させる。
【０００７】
そこで、本発明は、このような不都合を解消した撮像装置、その制御方法及びプログラム並びに記録媒体を提示することを目的とする。
【課題を解決するための手段】
【０００８】
上記目的を達成するために、本発明に係る撮像装置は、サイズと画質の予め決められた複数の組み合わせで、画像のサイズ及び画質を変更できる画像処理手段と、リサイズ対象の画像と処理後のサイズを指定する指定手段と、前記指定手段で指定される前記リサイズ対象の画像のサイズ及び画質を読み出す手段と、前記指定手段で指定される前記処理後のサイズと、前記リサイズ対象の画像の画質の組み合わせが前記画像処理手段に適用できるかどうかを判定し、適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させる制御手段とを具備することを特徴とする。
【０００９】
本発明に係る撮像装置の制御方法は、サイズと画質の予め決められた複数の組み合わせで、画像データのサイズ及び画質を変更できる画像処理手段を有する撮像装置の制御方法であって、リサイズ対象の画像と処理後のサイズを指定する指定ステップと、前記指定ステップで指定される前記リサイズ対象の画像のサイズ及び画質を読み出すステップと、前記指定ステップで指定される前記処理後のサイズと、前記リサイズ対象の画像の画質の組み合わせが前記画像処理手段に適用できるかどうかを判定するステップと、前記指定ステップで指定される前記処理後のサイズと、前記リサイズ対象の画像の画質の組み合わせが前記画像処理手段に適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させるステップとを具備することを特徴とする。
【００１０】
本発明に係る撮像装置の制御プログラムは、サイズと画質の予め決められた複数の組み合わせで、画像データのサイズ及び画質を変更できる画像処理手段、及び全体を制御するＣＰＵを有する撮像装置の制御プログラムであって、前記ＣＰＵに、ユーザによるリサイズ対象の画像と処理後のサイズの選択を受け入れる機能と、前記リサイズ対象の画像のサイズ及び画質を読み出す機能と、前記処理後のサイズと、前記リサイズ対象の画像の画質の組み合わせが前記画像処理手段に適用できるかどうかを判定する機能と、前記処理後のサイズと、前記リサイズ対象の画像の画質の組み合わせが前記画像処理手段に適用できる場合に、その組み合わせで前記画像処理手段に前記リサイズ対象の画像を処理させ、適用できない場合に、前記処理後のサイズに対して、サイズと画質の予め決められた前記複数の組み合わせにあるリサイズ前の画質よりも高い画質を選択し、前記画像処理手段に前記リサイズ対象の画像を処理させる機能とを実現させることを特徴とする。
【００１１】
本発明に係る記録媒体には、上記制御プログラムが読み出し可能に記録される。
【発明の効果】
【００１２】
本発明によれば、リサイズ処理が可能な撮像装置において、ユーザの操作性を低下させることなく所望の画像サイズへのリサイズ処理を提供することが可能となる。
【図面の簡単な説明】
【００１３】
【図１】本発明の一実施例の概略構成ブロック図である。
【図２】本実施例の動作フローチャートである。
【図３】ＧＵＩ表示例とリサイズ処理結果例である。
【発明を実施するための形態】
【００１４】
以下、図面を参照して、本発明の実施例を詳細に説明する。
【実施例１】
【００１５】
図１は、本発明に係る撮像装置の一実施例の概略構成ブロック図である。
【００１６】
１００は撮影レンズである。１０１はＣＣＤ又はＣＭＯＳイメージセンサなどからなる撮像素子である。撮像素子１０１は、撮影レンズ１００により撮像素子１０１に入射する被写体光学像を電気信号に変換する。Ａ／Ｄ変換器１０２は撮像素子１０１のアナログ出力信号をデジタル信号に変換する。
【００１７】
マイクロコンピュータ１０３又はＣＰＵは、各構成要素の制御やデータ処理など撮像装置全体を制御する。揮発性メモリ３０４は、Ａ／Ｄ変換器１０２でデジタル信号に変換された画像データを一時的に保持する。不揮発性メモリ１０５には、マイクロコンピュータ１０３で実行される制御プログラムなどが格納される。
【００１８】
デコーダ１０６は、外部メモリ１０８から読み出した画像ファイルを解析し、画像データをデコードし、データ形式を変換する。画像処理部１０７は、撮影された静止画に対する画像処理及びリサイズ処理を行う。
【００１９】
マイクロコンピュータ１０３は、画像処理部１０７が処理した画像データを所定のファイル形式に変換して外部メモリ１０８に出力する。外部メモリ１０８は、半導体メモリ又はハードディスクドライブなどの大容量記録媒体からなる。マイクロコンピュータ１０３はまた、外部メモリ１０８からファイルを読み込み、揮発性メモリ１０４に格納してデコーダ１０６に伸長させ、データ形式を変換させる。画像処理部１０７は、デコーダ１０６からの画像データにリサイズ処理を行い、マイクロコンピュータ１０３は、ファイルを再構築する。
【００２０】
表示装置１０９は、液晶モニタなどからなる。表示装置１０９は、外部メモリ１０８に出力したファイルの画像、及び、画像処理部１０７で処理した結果の画像を表示する。画像処理部１０７で処理した結果の画像は、リサイズ処理した結果の画像を含む。
【００２１】
操作部材１１０は各種のスイッチ及びボタンなどからなり、マイクロコンピュータ１０３に種々の指示を入力するのに使用される。ユーザは、操作部材１１０を使って、表示部材３０９に表示されるリサイズ対象の画像と処理後のサイズを指定又は選択する。
【００２２】
本実施例の撮像装置は、複数の画像サイズ（Ｌ，Ｍ，Ｓ，ＳＳ，ＳＳＳ）と複数の画質（ファインとノーマル）が選択可能であるが、ＳＳとＳＳＳに対してはファインのみを選択可能になっている。すなわち、撮影時に設定可能な画像サイズと画質の組み合わせは、（Ｌ／ファイン）、（Ｌ／ノーマル）、（Ｍ／ファイン）、（Ｍ／ノーマル）、（Ｓ／ファイン）、（Ｓ／ノーマル）、（ＳＳ／ファイン）及び（ＳＳＳ／ファイン）である。画像処理部１０７は、これらの組み合わせのの中で画像のサイズと画質を変更できる。
【００２３】
図２は、本実施例のリサイズ処理のフローチャートを示す。本実施例のリサイズ処理で選択可能なリサイズ後のサイズは、リサイズ対象画像よりも小さいサイズであるとする。本実施例では、リサイズ後の画質は、原則、リサイズ前の画質を引き継ぐが、相当する画質がリサイズ後のサイズと対になっていない場合には、より高い画質を選択することにした。ここでは、リサイズの対象画像のサイズはＭ、画質はノーマルであるとして、本実施例の動作を説明する。
【００２４】
メニューや再生表示画面からリサイズ機能を選択されると、マイクコンピュータ１０３は、リサイズ対象画像選択メニューを表示部材１０９に表示する（Ｓ２００）。リサイズ対象画像選択メニューで、ユーザは、外部メモリ１０８に記録されている画像ファイルの中から１枚又は複数枚の画像を対象画像として選択できる。
【００２５】
リサイズ対象画像が選択されると、マイクコンピュータ１０３は、指定された画像の画像ファイルの属性情報（サイズ・画質情報）を外部メモリ１０８から取得する（Ｓ２０１）。マイクロコンピュータ１０３は、取得した属性情報をデコーダ１０６にセットし、デコーダ１０６にこの画像ファイルの圧縮画像データをデコードさせる（Ｓ２０２）。デコーダ１０６は伸長した画像データを揮発性メモリ１０４に格納する。画像処理部１０７は、揮発性メモリ１０４に格納される画像データを画像処理し、表示部材１０９に表示させる（Ｓ２０３）。図３の画像例３００は、ステップＳ２０３における表示部材１０９の表示画像を示す。
【００２６】
マイクロコンピュータ１０３は、リサイズ後として選択可能なサイズの選択肢を示す画面を生成し、画像例３００上に重ねて表示部材１０９に表示させる（Ｓ２０４）。図３の画像例３０１は、表示部材１０９の表示画像例を示す。リサイズ前のサイズがＭであるので、Ｍは選択不可になり、Ｓ、ＳＳ又はＳＳＳが選択可能になる。この状態で、マイクロコンピュータ１０３は、ユーザからの操作を待つ。
【００２７】
マイクロコンピュータ１０３は、操作部材３１０によるユーザのサイズ指定を確認する（Ｓ２０５）。マイクロコンピュータ１０３は、指定されたサイズの対となる画質として、リサイズ前の画質をそのまま採用可能かどうか、すなわち、そのような組み合わせが可能かどうかを判定する（Ｓ２０６）。リサイズ前の画質を採用できない場合（Ｓ２０６）、マイクロコンピュータ１０３は、リサイズ後のサイズと組み合わせ可能な最高画質を、リサイズ後の画質として選択する（Ｓ２１０）。最高画質の代わりに、リサイズ前の画質より高い、リサイズ後のサイズと組み合わせ可能な画質であってもよい。
【００２８】
例えば、リサイズ後のサイズとしてＳが選択又は指定された場合、画像サイズＳと画質ノーマルの組み合わせが適用可能であるので、リサイズ後の画質をノーマルとする。リサイズ後のサイズとしてＳＳＳが選択又は指定された場合、画像サイズＳＳＳと画質ファインの組み合わせが適用可能であるので、リサイズ後の画質をファインとする。
【００２９】
ステップＳ２０６又はＳ２１０の後、マイクロコンピュータ１０３は、決定されたサイズ及び画質でのリサイズ処理を画像処理部１０７に実行させる（Ｓ２０７）。画像処理部１０７は、このリサイズ処理後の画像データをデータ圧縮し、マイクロコンピュータ１０３は、画像処理部１０７による圧縮画像データから画像ファイルを生成する（Ｓ２０８）。ファイル名又はファイル番号は、通常撮影と同じ方法で付与される。リサイズ後の画像ファイルを格納するフォルダを生成し、そこに格納しても良い。マイクロコンピュータ１０３は、リサイズ結果の画像を表示部材１０９に表示させ（Ｓ２０９）、リサイズ処理を終了する。図３の画像例３０２に、画像サイズＳにリサイズした結果の例を示す。
【００３０】
リサイズ後の画像データは、属性情報として項目より、リサイズ対象画像の情報をそのまま引き継いでも、ファイル生成時に新規に設定しても良い。例えば、現像に関するパラメータなどは、リサイズ対象画像の情報をそのまま引き継ぐが、ファイル生成時間はリサイズ処理を行った時間とする。ファームウェアバージョンなどは、リサイズ処理を行った撮像装置のものを上書きする。リサイズ処理を行って作られたファイルであることが分かるような情報を記載する。この情報を用いることで、撮像装置で再生した際に、通常撮影の画像か、リサイズされた画像かを表示することが可能となる。
【００３１】
このように、本実施例では、サイズと画質の限定された組み合わせの下で、リサイズの指定を簡略化することができる。すなわち、ユーザは、画質指定の手間を軽減できる。
【００３２】
マイクロコンピュータ１０３による制御は１つのハードウェアが行ってもよいし、複数のハードウェアが処理を分担することで、装置全体の制御を行ってもよい。
【００３３】
本発明をその好適な実施例に基づいて詳述したが、本発明はこれら特定の実施例に限定されない。すなわち、発明の要旨を逸脱しない範囲の様々な形態も本発明に含まれる。上述した実施例は本発明を説明するための一実施例を示すものにすぎない。
【００３４】
本発明をデジタルカメラに適用した実施例を説明したが、本発明は、このような用途に限定されない。すなわち、本発明は、デジタルビデオカメラ、カメラ機能付きの携帯電話端末、カメラ機能付きのゲーム機等、撮像機能を有する電子機器一般に適用可能である。
【００３５】
本発明は、以下の処理を実行することによっても実現される。即ち、上述した実施例の機能を実現するソフトウェア（プログラム）をネットワーク又は各種記憶媒体を介してシステム或いは装置に供給し、そのシステム或いは装置のコンピュータ（又はＣＰＵやＭＰＵ等）がそのプログラムを実行する。この場合、そのプログラム、及び該プログラムを記憶した記憶媒体は、本発明を構成することになる。
【図１】
2011250120.tif 000003
【図２】
2011250120.tif 000004
【図３】
2011250120.tif 000005